(57)【特許請求の範囲】
【請求項１】
帽子の内側に挿入される筒状の受け枠と、帽子の外側から巻き付けられて受け枠との間で帽子を挟持する押さえバンドとを備え、該押さえバンドの一端又は他端の少なくとも一方が受け枠から受け枠の外側へ離れた位置で軸着又は掛止される帽子枠において、
前記押さえバンドのバンド縁のうちの前記受け枠から離れる前記一端付近部位又は他端付近部位の少なくとも一方に、受け枠に向かって突出する押付片を設け、該押付片により挟持時の帽子の対応部位を受け枠から浮かないように押し付けて緊張させるようにし、前記押付片は、前記一端又は他端に向かうにつれて段階的に突出高さが高くなる複数の押付片からなることを特徴とする帽子枠。
【請求項２】
帽子の内側に挿入される筒状の受け枠と、帽子の外側から巻き付けられて受け枠との間で帽子を挟持する押さえバンドとを備え、該押さえバンドの一端又は他端の少なくとも一方が受け枠から受け枠の外側へ離れた位置で軸着又は掛止される帽子枠において、
前記押さえバンドのバンド縁のうちの前記受け枠から離れる前記一端付近部位又は他端付近部位の少なくとも一方に、受け枠に向かって突出する押付片を設け、該押付片により挟持時の帽子の対応部位を受け枠から浮かないように押し付けて緊張させるようにし、前記押付片は、前記一端又は他端に向かうにつれて徐々に突出高さが高くなる略三角形状の押付片からなることを特徴とする帽子枠。
【発明の詳細な説明】
【０００１】
【発明の属する技術分野】
本発明は、帽子の周面部に刺繍加工するためのミシンの帽子枠に関するものである。
【０００２】
【従来の技術】
従来のミシンの帽子枠１００は、例えば、図５に示すように筒状に形成された受け枠１０１とバンド形状の押さえバンド１０２とを備えている。
【０００３】
帽子１に刺繍する時は、まず、セット治具（図示略）に帽子枠１００の受け枠１０１を装着する。そして受け枠１０１の外周に帽子１を嵌め、帽子枠１００の押さえバンド１０２で外周側から帽子１を挟着して固定する。
【０００４】
【発明が解決しようとする課題】
このとき、押さえバンド１０２の一端１０２ａは受け枠１０１から外周側へ離れた位置で軸着されており、押さえバンド１０２の他端１０２ｂは受け枠１０１から外周側へ離れた位置で掛止されていたため、この押さえバンド１０２の一端１０２ａ付近及び他端１０２ｂ付近によって押さえられる帽子１の左右両端付近１ｂは、十分に押さえられないことになり、受け枠１０１から浮いてシワが発生しやすく（帽子１の左右両端付近１ｂが緊張した状態で張れていないと、刺繍柄がきれいに出なかった。）、これを取り除くのに、経験が必要で、また時間がかかっていた。
【０００５】
本発明の目的は、上記課題を解決し、帽子をシワなく挟持できる帽子枠を提供することにある。
【０００６】
【課題を解決するための手段】
そこで、本発明においては、上記目的を達成するために、次のような手段をとった。これらの各手段を図１〜図４に基づいて説明する。
【０００７】
帽子１の内側に挿入される筒状の受け枠１１と、帽子１の外側から巻き付けられて受け枠１１との間で帽子１を挟持する押さえバンド１２とを備え、該押さえバンド１２の一端１２ａ又は他端１２ｂの少なくとも一方が（図示例では一端１２ａ及び他端１２ｂの両方が）受け枠１１から受け枠１１の外側へ（Ｓ矢示部の分だけ）離れた位置で軸着又は掛止される帽子枠１０において、
押さえバンド１２のバンド縁（図示例では手前側のバンド縁）のうちの受け枠１１から離れる一端１２ａ付近部位又は他端１２ｂ付近部位の少なくとも一方（図示例では両方）に、受け枠１１に向かって突出する押付片１３を設け、該押付片１３により挟持時の帽子１の対応部位２を受け枠１１から浮かないように押し付けて緊張させるようにしたことを特徴とする帽子枠１０。
【０００８】
押付片１３としては、一端又は他端に向かうにつれて段階的に突出高さが高くなる複数の押付片１３からなる態様（図２及び図３）や、一端又は他端に向かうにつれて徐々に突出高さが高くなる略三角形状の押付片（図４）からなる態様がある。
【０００９】
この帽子枠１０に帽子１を挟持するには、次のようにする。
・セット治具（図示略）に、帽子枠１０をセットする。
・帽子枠１０の受け枠１１から押さえバンド１２の他端１２ｂの掛止を外す。
・帽子１の汗取り部分３をめくりながら受け枠１１に装着する。このとき、受け枠１１のノコギリ形状した突起部分１４に帽子汗取りの縫い目部分がかかるようにする（ズレ止め防止のため）。
・押さえバンド１２で帽子１を固定する時、まずバンド中央部分の開口１５に帽子１のひさし４を入れる。
・押さえバンド１２の両端部位の押付片１３で、帽子１の対応部位２（図示例では左右両端部分）を受け枠１１から浮かないように押し付けて緊張させ、シワが出ないようにして、押さえバンド１２の他端１２ｂを掛止固定する。
【００１０】
この帽子枠１０によれば、次のような効果が得られる。
・帽子１の左右両端部分のシワがとれるので、帽子１セットの時間が短縮される。
・帽子１の刺繍範囲（例えば横２７０度の範囲）の両端部分においても、きれいに刺繍ができる。
【００１１】
【発明の実施の形態】
図１〜図３は本発明を実施したミシンの帽子枠１０を示している。本ミシンは、図１に示すようにミシンフレーム９０から矢印Ｙ方向と平行に突設された筒状ベッド９１を備えている。筒状ベッド９１の基端側の下部には筒状ベッド９１と平行にガイドレール６２が突設されており、ガイドレール６２には帽子枠１０を含む帽子枠装置９がＹ方向に移動可能に支持されている。また、筒状ベッド９１上には水平面内においてＹ方向と直角に交差するＸ方向（図示略）に延びる水平駆動枠６０を備えており、水平駆動枠６０によって帽子枠装置９が移動されるようになっている。
【００１２】
筒状ベッド９１の先端側上面には、針孔９２ａが設けられた針板９２が配設されており、その下側には下糸が巻かれた釜（図示略）が内蔵されている。また、筒状ベッド９１の上方にはミシンヘッド（図示略）に上下動自在に針９３が設けられている。そして、刺繍データに基づいて駆動される針９３と前記釜との協働によって帽子枠装置９に保持された帽子１に刺繍加工がされるようになっている。
【００１３】
帽子枠装置９は、帽子１の刺繍加工範囲を筒状ベッド９１の直上に適正な形態で支持するためのもので、ガイドレール６２に沿ってＹ方向にスライド移動自在に設けられた支持枠４０と、Ｙ方向と平行な軸に対して回転可能に支持枠４０に支持された回転駆動枠３０と、帽子１を挟持し、回転駆動枠３０に取替可能に外嵌される帽子枠１０と、支持枠４０から前方に突設されたステー４５に設けられて筒状ベッド９１の側方（図示例では左右両側方）まで延びる弾性板４１と、弾性板４１の先端に回転可能に設けられて、帽子枠１０に挟持された帽子１の周面部５と頂面部６との境界コーナー部７に当接して回転する補助ローラ４２とを備えている。
【００１４】
帽子枠１０は、図１〜図３に示すように帽子１の内側に挿入される筒状の受け枠１１と、帽子１の外側から巻き付けられて受け枠１１との間で帽子１を挟持する押さえバンド１２とを備えている。
【００１５】
受け枠１１は、その長さ方向の略中間に設けられたつば部２３を備え、つば部２３の前面には、受け枠１１の周方向に互いに間隔を置いて軸着部１６と掛止部１７とが設けられている。
【００１６】
軸着部１６と、掛止部１７とは、それぞれ受け枠１１から受け枠１１の外側へ（Ｓ矢示部の分だけ）離れた位置に設けられている。この受け枠１１近傍の軸着部１６には、押さえバンド１２の一端１２ａが軸着され、該押さえバンド１２の他端１２ｂは、受け枠１１近傍の掛止部１７に取り外し可能に掛止されている。
【００１７】
押さえバンド１２のバンド縁（図示例では手前側のバンド縁）のうちの受け枠１１から離れる一端１２ａ付近部位及び他端１２ｂ付近部位の両方に、受け枠１１に向かって突出する押付片１３を設けている。該押付片１３により挟持時の帽子１の対応部位２を受け枠１１から浮かないように押し付けて緊張させるようにしている。押付片１３は、一端又は他端に向かうにつれて段階的に突出高さが高くなる複数の押付片１３からなっている。
【００１８】
押さえバンド１２には、帽子１のひさし４を通すための横長の開口１５が形成されており、開口１５の前縁の中間部からは帽子１のひさし４と周面部５との縫合部に帽子１の外側から食込み得る多数のノコギリ形状した突起部分１５ａが設けられている。
【００１９】
受け枠近傍の掛止部１７と、押さえバンド１２の他端とには、図３に示すように、それぞれ掛止片１８及び該掛止片１８の両側方において掛止片１８との間で側面Ｖ字角２０をなす一対の規制片１９の組み合わせと、該掛止片１８に掛止するリング２１とを設けている。そして、リング２１が掛止片１８に掛止したときに側面Ｖ字角２０に食い込むことにより掛止片１８に対して（特にバンド幅方向に）ずれないようにしている。リング２１は先端にコ字状部２２を有し、掛止片１８の幅はコ字状部２２の内幅と略同一に形成され、一対の規制片１９の間隔はコ字状部２２の外幅と略同一に形成されている。
【００２０】
また、受け枠１１には、その前端の内周縁に沿って湾曲板２６が受け枠１１前方に突設されるとともに、軸着部１６と掛止部１７との間の受け枠１１の外周面に支持板部が受け枠１１前方に突設されている。湾曲板２６は、その前端縁に汗取り部分３の周面部５との縫い目部分に食い込み得るように配設された多数の突起部分１４を備えている。支持板部は、その外周面に受け枠１１の周方向に互いに間隔を置いて設けられた一対の嵌合片２４を備えている。この支持板部は、帽子１の内側に挿入され、帽子１の外側から該嵌合片２４に嵌合した状態で装着される保持クリップ２５との間で帽子１の後側を挟持するようになっている。
【００２１】
次に、このように構成された帽子枠１０に帽子１を挟持するには、つぎのようにする。
（１）セット治具（図示略）に、帽子枠１０をセットする。
（２）帽子枠１０の受け枠１１から押さえバンド１２の他端１２ｂの掛止を外す。
【００２２】
（３）帽子１の汗取り部分３をめくりながら受け枠１１に装着する。帽子１は、その後側が受け枠１１の支持板部側になるようにする。このとき、受け枠１１のノコギリ形状した突起部分１４に帽子汗取りの縫い目部分がかかるようにする（ズレ止め防止のため）。
【００２３】
（４）押さえバンド１２で帽子１を固定する時、まずバンド中央部分の開口１５に帽子１のひさし４を入れ、押さえバンド１２を帽子１に巻き付ける。
【００２４】
（５）押さえバンド１２の両端部位の押付片１３で、帽子１の対応部位２（図示例では左右両端部分）を受け枠１１から浮かないように押し付けて緊張させ、シワが出ないようにして、押さえバンド１２の他端１２ｂを掛止固定する。
【００２５】
（６）さらに、帽子１の後側を一方の手で軽く下方に引いて帽子１の左右両端部分を緊張させながら、もう一方の手で保持クリップ２５を帽子１の上から嵌合片２４に装着する。
【００２６】
この帽子枠１０によれば、次のような効果が得られる。
▲１▼  帽子１の左右両端部分のシワが簡単にとれるので、帽子１セットの時間が短縮される。
▲２▼  帽子１の刺繍範囲（例えば横２７０度の範囲）の両端部分が緊張されるので、該両端部分においても、きれいに刺繍ができる。
【００２７】
なお、本発明は前記実施形態の構成に限定されるものではなく、例えば以下のように、発明の趣旨から逸脱しない範囲で適宜変更して具体化することもできる。
（１）図４に示すように、一端又は他端に向かうにつれて徐々に突出高さが高くなる略三角形状の押付片１３からなる態様等を例示することができる。
【００２８】
（２）押さえバンド１２の一端１２ａ又は他端１２ｂのいずれか一方が受け枠１１から受け枠１１の外側へ離れた位置で軸着又は掛止される帽子枠１０に本発明を適用し、受け枠１１から離れる一端１２ａ付近部位又は他端１２ｂ付近部位の一方に、受け枠１１に向かって突出する押付片１３を設けること。
【００２９】
（３）嵌合片２４、保持クリップ２５及び湾曲板２６を省くこと。
【００３０】
【発明の効果】
以上詳述したように、本発明に係るミシンの帽子枠によれば、帽子をシワなく挟持できるという優れた効果を奏する。
【図面の簡単な説明】
【図１】本発明を具体化した実施形態のミシンの帽子枠を示す右側面図である。
【図２】同帽子枠の正面図である。
【図３】同帽子枠の掛止部付近の斜視図である。
【図４】同帽子枠の変更例を示す部分正面図である。
【図５】従来の帽子枠を示す正面図である。
【符号の説明】
１    帽子
１ａ  布片
２    対応部位
３    汗取り部分
４    ひさし
５    周面部
６    頂面部
７    境界コーナー部
８    突条部
９    帽子枠装置
１０    帽子枠
１１    受け枠
１２    押さえバンド
１２ａ  一端
１２ｂ  他端
１３    押付片
１４    突起部分
１５    開口
１５ａ  突起部分
１６    軸着部
１７    掛止部
１８    掛止片
１９    規制片
２０    側面Ｖ字角
２１    リング
２２    コ字状部
２３    つば部
２４    嵌合片
２５    保持クリップ
２６    湾曲板
３０    回転駆動枠
３１    掛止爪
３２    レバー
３２ａ  作用端
３３    軸
３４    バネ
３５    当接用突起
３６    バネ式プランジャ
４０    支持枠
４１    弾性板
４２    補助ローラ
４３    半球面
４４    接触ピット面
４５    ステー
４６    ねじ
４７    前側部材
４７ａ  ガイド穴
４７ｂ  ベッド穴
４８    後側部材
４９    前側ベアリングローラ
５０    後側ベアリングローラ
５２    結合ねじ
５３    ねじ
５４    取付部
５５    水平板部
５６    ねじ穴
５７    ベース板部
５８    連結板部
６０    水平駆動枠
６１    ワイヤ
６２    ガイドレール
９０    ミシンフレーム
９１    筒状ベッド
９２    針板
９２ａ  針孔
９３    針
【図１】
0004105329.tif 000002
【図２】
0004105329.tif 000003
【図３】
0004105329.tif 000004
【図４】
0004105329.tif 000005
【図５】
0004105329.tif 000006